(57)【特許請求の範囲】
【請求項１】
一端部に対して他端部が水平方向に摺動自在な滑り支承と膨縮自在な円柱状の支持袋とを基礎上に複数個設置し、複数個の滑り支承と支持袋とを介在させて捨て型枠を基礎上に設置し、空気を収容した各支持袋によって支持された捨て型枠上にコンクリートを打設して基礎上に建物の床を形成する建物床の施工方法であって、各滑り支承の一端部を基礎に固着して各滑り支承を基礎上に設置すると共に複数個の支持袋の夫々を基礎上に互いに隙間をもってかつ横倒しに並置し、各滑り支承と各支持袋とを介在させて捨て型枠を基礎上に設置した後、各支持袋に圧縮空気を供給して各支持袋に圧縮空気を収容させ、圧縮空気を収容した各支持袋による捨て型枠の支持後、捨て型枠上にコンクリートを打設して基礎上に建物の床を形成して各滑り支承の他端部を床に固定し、建物の床のコンクリートの硬化後、各支持袋から圧縮空気を排出して各支持袋を収縮させて各支持袋による捨て型枠を介する床の支持を解除し、各支持袋を基礎と捨て型枠との間の隙間から引き抜いて当該隙間から支持袋を除去する建物床の施工方法。
【請求項２】
基礎の上面から３０ｃｍ以下の範囲で捨て型枠の下面が位置するように当該捨て型枠を基礎上に設置する請求項１に記載の建物床の施工方法。
【請求項３】
請求項１又は２に記載の建物床の施工方法により建築された建物。
【発明の詳細な説明】
【０００１】
【発明の属する技術分野】
本発明は、基礎上に免震装置、制震装置等を介在させて建物の床を施工する建物床の施工方法に関する。
【０００２】
【発明が解決しようとする課題】
建物としての事業用又は事務所用のビル、集合住宅、戸建住宅、橋脚、橋台等において、地震、風、交通振動等に起因する横（水平）方向振動を建物に伝達させないため、また、建物に伝達した横方向振動を可及的速やかに減衰させるために、基礎と建物の床との間には免震装置、制震装置等が設置される。
【０００３】
斯かる免震装置、制震装置を基礎と床との間に介在させた建物において、床の施工は、通常、基礎を施工後、基礎に植設されたアンカーボルトを介して例えば免震装置の下部を固定すると共に基礎上に支保工を配置して配筋し、しかる後に床材としてのコンクリート等を支保工上の配筋に打設して床を形成し、床の形成後に、不要となった支保工を基礎と床との間の隙間に作業員がもぐり込んで除去している。
【０００４】
ところで、床下へもぐり込んで行う作業は、作業性も悪く時間がかかる上に危険も伴い好ましくなく、また、滑り支承等のその高さが低い免震装置を用いる場合には、基礎と床との間の隙間が小さくなり、この隙間に作業員がもぐり込んで床の形成後に不要となった支保工を除去することは非常に困難である。
【０００５】
本発明は、前記諸点に鑑みてなされたものであって、その目的とするところは、支保工を除去するための基礎と床との間の隙間への作業員のもぐり込み作業をなくし得、しかも、滑り支承等のその高さが低い免震装置、制震装置等を基礎と床との間に介在させて建物を免震化、制震化できる建物床の施工方法を提供することにある。
【０００６】
【課題を解決するための手段】
本発明の第一の態様の建物床の施工方法は、基礎上に免震装置及び制震装置のうちの少なくとも一方と膨縮自在な支持袋とを設置する工程と、免震装置及び制震装置のうちの少なくとも一方と支持袋とを介在させて捨て型枠を基礎上に設置する工程と、流体を収容した支持袋によって支持された捨て型枠上に床材を打設して基礎上に建物の床を形成する工程とを具備している。
【０００７】
第一の態様の建物床の施工方法によれば、支持袋を介在させて捨て型枠を基礎上に設置し、流体を収容した支持袋によって支持された捨て型枠上に床材を打設して基礎上に建物の床を形成するために、床の施工後、基礎と捨て型枠との間に配された膨縮自在な支持袋から流体を排出して、支持袋を収縮させることにより、容易に支持袋を基礎と捨て型枠との間から除去でき、而して、支持袋を除去するための基礎と床との間の隙間への作業員のもぐり込み作業をなくし得、しかも、滑り支承等のその高さが低い免震装置、制震装置等でも、これらを基礎と建物床との間に介在させて建物を免震化、制震化できる。
【０００８】
本発明の第二の態様の建物床の施工方法では、第一の態様の建物床の施工方法において、支持袋を基礎上に設置後に、支持袋に流体を供給して支持袋に流体を収容させる工程を具備している。
【０００９】
第二の態様の施工方法によれば、流体として特に液体（水、油等）を用いる場合には、支持袋の基礎上への設置を容易に行い得、また、液体又は圧縮空気等の気体のいずれの流体を用いても、捨て型枠の基礎上への設置後に、斯かる支持袋への流体の供給を行うと、捨て型枠を支持するに最適な量の流体を支持袋に収容させることができる。なお、第二の態様の施工方法に代えて、流体として軽量の空気等を用いる場合には、予め空気を収容した支持袋を基礎上に設置してもよい。また、施工現場での作業時間を短縮するために、予め所与の量の流体を収容した支持袋を基礎上に設置し、捨て型枠の基礎上への設置後に、捨て型枠を支持するに必要な量の流体を追加的に支持袋に供給してもよい。
【００１０】
本発明の第三の態様の建物床の施工方法では、第一又は第二の態様の建物床の施工方法において、流体としての圧縮空気を収容した支持袋によって捨て型枠を支持する。
【００１１】
第三の態様の施工方法によれば、流体として軽量な圧縮空気を用いるために、取り扱いが極めて容易となる上に、床の形成後の流体の排出に際しては、そのまま支持袋から直接的に外気に放出できるので、液体に比較して面倒な廃棄処理を必要としない。
【００１２】
本発明においては、その第四の態様の建物床の施工方法のように、建物の床の形成後、支持袋から流体を排出しても、その第五の態様の建物床の施工方法のように、基礎に免震装置及び制震装置のうちの少なくとも一方の一端部を固定し、捨て型枠を介在させて床に免震装置及び制震装置のうちの少なくとも一方の他端部を固定してもよい。
【００１３】
また本発明においては、その第六の態様の建物床の施工方法のように、免震装置は、一端部と他端部との間に転動体を介在させた転がり滑り支承、一端部に対して他端部が水平方向に摺動自在な滑り支承、一端部と他端部との間に積層ゴムが介在された積層ゴム支承及び一端部と他端部との間に積層ゴムが介在されていると共に積層ゴム内に鉛支柱が嵌装された鉛入り積層ゴム支承のうちの少なくとも一つの支承を含んでいても、その第七の態様の建物床の施工方法のように、制震装置は、鉛ダンパ、鋼棒ダンパ及び粘性ダンパのうちの少なくとも一つのダンパを含んでいても、その第八の態様の建物床の施工方法のように、基礎の上面から３０ｃｍ以下の範囲で捨て型枠の下面が位置するように当該捨て型枠を基礎上に設置しても、その第九の態様の建物床の施工方法のように、実質的に円柱状、楕円柱状及び直方体状の支持袋のうちの少なくとも一つの支持袋を基礎上に設置しても、その第十の態様の建物床の施工方法のように、複数個の支持袋を基礎上に並置してもよい。
【００１４】
また本発明において、支持袋は、収容した流体の量により膨らんだり縮んだりする膨縮自在な支持袋であればよいのであるが、斯かる支持袋は、可撓性又は伸縮性を有していてもよく、支持袋の好ましい形成材料としては、天然ゴム、合成ゴム、繊維強化天然ゴム若しくは合成ゴム等を挙げることができるが、本発明は、これらに限定されず、十分な機械的強度を具備していれば、その他のものでもよく、また捨て型枠としては、床と共に建物にそのまま残されるために、機械的強度を有する上に耐久性のある例えば鋼鈑等を好ましい例として挙げることができる。
【００１５】
次に本発明を、図面に示す好ましい発明の実施の形態の例に基づいて更に詳細に説明するが、本発明は、これら例に何ら限定されないのである。
【００１６】
【発明の実施の形態】
図１に示す本例の建物床の施工方法をもって施工された建物、本例では戸建住宅１は、地盤２に設置されたコンクリート製の基礎３上に複数の滑り支承４を介して支持されたコンクリート製の床５を含む建物本体６を具備している。
【００１７】
各滑り支承４は、一端部１１側が基礎３に埋め込まれたアンカーボルト１２を介して基礎３に固着されており、他端部１３側が床５に埋め込まれたボルト１４を介して床５に固着されており、一端部１１と他端部１３との当接面１５において、一端部１１に対して他端部１３が水平方向Ｈに摺動自在になっており、斯かる滑り支承４により建物本体６が免震化されている。
【００１８】
以下、戸建住宅１の床５の本例の施工法を説明する。まず、図２に示すように、地盤２にコンクリートを打ち込んで基礎３を形成し、この形成後、一端部１１をアンカーボルト１２を介して基礎３に固着して各滑り支承４を基礎３上に設置すると共に図３及び図４に示すように流体として所与の量の空気が収容された膨縮自在であってゴム製の実質的に円柱状の複数個の支持袋２１を基礎３上に互いに隙間をもってかつ横倒しに並置して設置する。
【００１９】
次に図５に示すように、各滑り支承４と支持袋２１とを介在させて鋼鈑からなる捨て型枠２２を基礎３上に設置し、捨て型枠２２を各滑り支承４に加えて、支持袋２１でもって支持するように、支持袋２１に圧縮空気供給手段であるコンプレッサ２３から圧縮空気を供給して、支持袋２１を所定に膨らませて所定量の圧縮空気を支持袋２１に収容させる。こうして、若干の空気が収容された支持袋２１を基礎３上に設置後に、支持袋２１に流体としての圧縮空気を供給して支持袋２１に流体を収容させ、流体としての圧縮空気を収容した支持袋２１によって捨て型枠２２を支持する。なお、各滑り支承４の他端部１３をボルト１４を介して予め捨て型枠２２に固着した後に、捨て型枠２２を基礎３上に設置するとよい。
【００２０】
捨て型枠２２の支持袋２１による支持後、捨て型枠２２上に配筋等を行い、更に図６に示すように床材としてコンクリートを打設して基礎３上に建物の床５を形成し、こうして、各滑り支承４の他端部１３を捨て型枠２２及び床５に埋め込まれたボルト１４を介在させて床５に固定する。
【００２１】
床５の形成後であって床５のコンクリートの硬化後、支持袋２１から圧縮空気を排出して支持袋２１を収縮させる。支持袋２１の収縮により、支持袋２１による捨て型枠２２を介する床５の支持が解除されると共に、基礎３と捨て型枠２２との間の隙間２４からの抜き取りが可能となり、したがって、支持袋２１を隙間２４から引き抜くことにより当該隙間２４から支持袋２１を除去する。支持袋２１の除去後、床５上に建物本体６を施工する。なお、隙間２４からの支持袋２１の除去は、建物本体６の完成後に行ってもよい。
【００２２】
以上のように本例の建物床の施工方法によれば、支持袋２１を介在させて捨て型枠２２を基礎３上に設置し、圧縮空気を収容した支持袋２１によって支持された捨て型枠２２上に必要な配筋を行った後にコンクリートを打設して基礎３上に建物の床５を形成するために、床５の施工後、基礎３と捨て型枠２２との間に配された膨縮自在な支持袋２１から圧縮空気を排出して、支持袋２１を収縮させることにより、容易に支持袋２１を基礎３と捨て型枠２２との間から除去でき、而して、支持袋２１を除去するための基礎３と床５との間の隙間２４への作業員のもぐり込み作業をなくし得、しかも、高さが低い滑り支承４でも、これを基礎３と床５との間に介在させて戸建住宅１を免震化、制震化でき、加えて、流体として軽量な圧縮空気を用いるために、取り扱いが極めて容易となる上に、床５の形成後の圧縮空気の排出に際しては、そのまま支持袋２１から直接的に圧縮空気を外気に放出できるので、液体に比較して面倒な廃棄処理を必要としない。
【００２３】
なお、前記例では免震装置として滑り支承４を用いたが、これに代えて又はこれと共に一端部と他端部との間に転動体を介在させた転がり滑り支承、一端部と他端部との間に積層ゴムが介在された積層ゴム支承又は一端部と他端部との間に積層ゴムが介在されていると共に積層ゴム内に鉛支柱が嵌装された鉛入り積層ゴム支承を用いてもよく、また、滑り支承４に代えて又はこれと共に鉛ダンパ、鋼棒ダンパ及び粘性ダンパ等の制震装置を用いてもよく、更には、円柱状の支持袋２１に代えて又はこれと共に実質的に楕円柱形状又は直方体状の支持袋を用いてもよい。
【００２４】
なお、本例の建物床の施工方法では、基礎３の上面３１から３０ｃｍ以下の範囲で捨て型枠２２の下面３２が位置するように当該捨て型枠２２を基礎３上に設置するものに好ましく適用できる。
【００２５】
【発明の効果】
本発明によれば、支保工を除去するための基礎と床との間の隙間への作業員のもぐり込み作業をなくし得、しかも、滑り支承等のその高さが低い免震装置、制震装置等を基礎と床との間に介在させて建物を免震化、制震化できる建物床の施工方法を提供することができる。
【図面の簡単な説明】
【図１】本発明にしたがう建物床の施工方法をもって建築された戸建住宅の側面図である。
【図２】本発明の建物床の施工方法の一工程の説明図である。
【図３】本発明の建物床の施工方法の一工程の説明図であって、図４に示す例の平面図である。
【図４】本発明の建物床の施工方法の一工程の説明図であって、図３に示す例の側面図である。
【図５】本発明の建物床の施工方法の一工程の説明図である。
【図６】本発明の建物床の施工方法の一工程の説明図である。
【符号の説明】
１  戸建住宅
２  地盤
３  基礎
４  滑り支承
５  床
６  建物本体
２１  支持袋
２２  捨て型枠
２３  コンプレッサ
【図１】
0003765245.tif 000002
【図２】
0003765245.tif 000003
【図３】
0003765245.tif 000004
【図４】
0003765245.tif 000005
【図５】
0003765245.tif 000006
【図６】
0003765245.tif 000007